(57)【要約】      （修正有）【課題】一定の範囲内で有害な紫外線を遮断し、有効に殺菌することができ、周囲の人員の健康を害するおそれのない光殺菌装置の提供。【解決手段】殺菌光源１０４、及び、殺菌光源を収容し固定し、殺菌光源が発する光線を遮蔽するための、選択的に展開状態又は収納状態にあるように折り畳み可能な構造を有し、展開状態で占める体積が収納状態で占める体積よりも大きい筐体１０２を含む、殺菌装置１００。【選択図】図１
2020116363.tif 000002
【特許請求の範囲】
【請求項１】
殺菌光源、及び
前記殺菌光源を収容し固定するものであり、前記殺菌光源が発する光線を遮蔽するための筐体を含み、
前記筐体は、選択的に展開状態又は収納状態にあるように折り畳み可能な構造を有し、前記展開状態で占める体積が前記収納状態で占める体積よりも大きい、
殺菌装置。
【請求項２】
前記筐体は、接触面に接合するための受縁を有し、前記折り畳み可能な構造の複数の折目線の少なくとも１つが前記受縁まで延伸する、請求項１に記載の殺菌装置。
【請求項３】
前記殺菌光源は紫外線光源装置である、請求項１又は２に記載の殺菌装置。
【請求項４】
前記筐体は前記展開状態にある場合、被殺菌物を収容するために用いられる、請求項１から請求項３のいずれか一項に記載の殺菌装置。
【請求項５】
前記筐体はレバーを有する、請求項１から請求項４のいずれか一項に記載の殺菌装置。
【請求項６】
さらに、前記殺菌光源のオンオフを行うための制御器を含む、請求項１から請求項５のいずれか一項に記載の殺菌装置。
【請求項７】
さらに、前記展開状態にある前記筐体の構造を固定するためのファスナーを含む、請求項１から請求項６のいずれか一項に記載の殺菌装置。
【請求項８】
さらに、前記展開状態にある前記筐体が傾いているかを検出するための検出装置を含み、前記検出装置が振動センサー又は転覆センサーである、請求項１から請求項７のいずれか一項に記載の殺菌装置。
【請求項９】
前記折り畳み可能な構造は、レバーを基準点として互いに対称する２つの対称的な折り畳み副構造を含む、請求項５に記載の殺菌装置。
【請求項１０】
前記折り畳み副構造は、扇形の構造である、請求項９に記載の殺菌装置。
【請求項１１】
前記筐体は、前記収納状態又は前記展開状態にある前記筐体の構造を固定するための複数のマグネットファスナーを含む、請求項１から請求項６、請求項８から請求項１０のいずれか一項に記載の殺菌装置。
【請求項１２】
前記筐体の両側にはそれぞれ、使用者が力をかけて前記筐体を前記収納状態から前記展開状態に切り替えさせるための引き紐を含む、請求項１から請求項１１のいずれか一項に記載の殺菌装置。
【請求項１３】
前記展開状態は使用者が前記筐体の両側に同時に力をかけることにより折り畳み可能な構造を展開させたものである、請求項１から請求項１２のいずれか一項に記載の殺菌装置。
【請求項１４】
前記収納状態は使用者が前記筐体の両側に同時に力をかけることにより折り畳み可能な構造を折り畳んだものである、請求項１から請求項１３のいずれか一項に記載の殺菌装置。
【請求項１５】
前記展開状態は使用者が前記筐体の両側の前記引き紐に同時に力をかけることにより折り畳み可能な構造を展開させたものである、請求項１２に記載の殺菌装置。
【発明の詳細な説明】
【技術分野】
【０００１】
本発明は殺菌装置に関し、特に光殺菌装置に関する。
【背景技術】
【０００２】
現在の紫外線殺菌製品は、いずれも開放された光源又は手持ちの設計に属するものであり、一定の範囲内で有害な紫外線を遮断し、有効に殺菌することができないため、周囲の人員の健康を害するおそれがある。
【発明の概要】
【０００３】
本発明は、先行技術の問題を解決する革新的な光殺菌装置を提案する。
【０００４】
本発明の一つの実施例において、殺菌光源及び筐体を含む殺菌装置である。筐体は、殺菌光源を収容し固定するものであり、殺菌光源が発する光線を遮蔽するためのものである。筐体は、選択的に展開状態又は収納状態にあるように折り畳み可能な構造を有し、展開状態で占める体積が収納状態で占める体積よりも大きいものである。
【０００５】
本発明の一つの実施例において、筐体は、接触面に接合するための受縁を有し、折り畳み可能な構造の複数の折目線の少なくとも１つが受縁まで延伸する。
【０００６】
本発明の一つの実施例において、殺菌光源は紫外線光源装置である。
【０００７】
本発明の一つの実施例において、筐体は展開状態にある場合、被殺菌物を収容するために用いられる。
【０００８】
本発明の一つの実施例において、筐体はレバーを有する。
【０００９】
本発明の一つの実施例において、殺菌装置は、さらに、殺菌光源のオンオフを行うための制御器を含む。
【００１０】
本発明の一つの実施例において、殺菌装置は、さらに、展開状態にある当該筐体の構造を固定するためのファスナーを含む。
【００１１】
本発明の一つの実施例において、殺菌装置は、さらに、展開状態にある当該筐体が傾いているかを検出するための検出装置を含み、検出装置が振動センサー又は転覆センサーである。
【００１２】
本発明の一つの実施例において、折り畳み可能な構造は、レバーを基準点として互いに対称する２つの対称的な折り畳み副構造を含む。
【００１３】
本発明の一つの実施例において、折り畳み副構造は、扇形の構造である。
【００１４】
本発明の一つの実施例において、筐体は、複数のマグネットファスナーを含む。これにより、収納状態又は展開状態にある筐体の構造が固定される。
【００１５】
本発明の一つの実施例において、筐体の両側にはそれぞれ、使用者が力をかけて筐体を収納状態から展開状態に切り替えさせるための引き紐を含む。
【００１６】
本発明の一つの実施例において、展開状態は使用者が筐体の両側に同時に力をかけることにより折り畳み可能な構造を展開させたものである。
【００１７】
本発明の一つの実施例において、収納状態は使用者が筐体の両側に同時に力をかけることにより折り畳み可能な構造を折り畳んだものである。
【００１８】
本発明の一つの実施例において、展開状態は使用者が筐体の両側の当該引き紐に同時に力をかけることにより折り畳み可能な構造を展開させたものである。
【００１９】
以上のように、本発明の殺菌装置は、殺菌光源と折り畳み可能な筐体とを有する。筐体は、選択的に展開状態又は収納状態にあることができ、収納状態の殺菌装置が携帯及び収納しやくなる。光を透過させない筐体は、殺菌光源が発する光線を遮蔽することで、光線が漏れ周囲の人員を危うくすることを避けるために用いられる。
【００２０】
以下、上記の説明について実施形態で詳しく述べて、本発明の技術案についてさらなる解釈を提供する。
【図面の簡単な説明】
【００２１】
下記添付図面の説明は、以下のように、本発明の上記又は他の目的、特徴、メリット、及び実施例をより分かりやすくするためのものである。
【図１】本発明の第一の実施例にかかる殺菌装置が展開状態にあることを示す立体図である。
【図２】本発明の第一の実施例にかかる殺菌装置の使用状態を示す模式図である。
【図３】本発明の第一の実施例にかかる殺菌装置の筐体を示す平面展開図である。
【図４】本発明の第一の実施例にかかる殺菌装置の折り畳みを示す模式図である。
【図５】本発明の第一の実施例にかかる殺菌装置が収納状態にあることを示す立体図である。
【図６】本発明の第二の実施例にかかる殺菌装置が展開状態にあることを示す立体図である。
【図７】本発明の第二の実施例にかかる殺菌装置の使用状態を示す模式図である。
【図８】本発明の第二の実施例にかかる殺菌装置の筐体を示す平面展開図である。
【図９】本発明の第二の実施例にかかる殺菌装置の折り畳みを示す模式図である。
【図１０】本発明の第二の実施例にかかる殺菌装置が収納状態にあることを示す立体図である。
【図１１】本発明の第三の実施例にかかる殺菌装置が展開状態にあることを示す立体図である。
【図１２】本発明の第三の実施例にかかる殺菌装置の使用状態を示す模式図である。
【図１３】本発明の第三の実施例にかかる殺菌装置の筐体を示す平面展開図である。
【図１４】本発明の第三の実施例にかかる殺菌装置の折り畳みを示す模式図である。
【図１５】本発明の第三の実施例にかかる殺菌装置が収納状態にあることを示す立体図である。
【図１６】本発明の第四の実施例にかかる殺菌装置が展開状態で使用されることを示す模式図である。
【図１７】本発明の第四の実施例にかかる殺菌装置の筐体を示す平面展開図である。
【図１８】本発明の第四の実施例にかかる殺菌装置の組立を示す模式図である。
【図１９】本発明の第四の実施例にかかる殺菌装置の折り畳みを示す模式図である。
【図２０】本発明の第四の実施例にかかる殺菌装置が収納状態にあることを示す立体図である。
【発明を実施するための形態】
【００２２】
以下、本発明の記述をさらに詳細及び完備にするために、添付の図面及び以下に述べた各実施例を参照することができる。図面において、同じ符号は同じ又は類似の要素を意味する。一方、周知の要素と工程は、本発明を不必要に制限することを避けるために、実施例に述べていない。
【００２３】
発明を実施するための形態及び特許請求の範囲において、その記載は冠詞を特に限定しない限り、「一」と「当該」は広く１つ又は複数を指すものである。
【００２４】
図１、２を参照されたい。図１は本発明の第一の実施例にかかる殺菌装置が展開状態にあることを示す立体図であり、図２は本発明の第一の実施例にかかる殺菌装置の使用状態を示す模式図である。殺菌装置１００は、殺菌光源１０４及び筐体１０２を含む。筐体１０２は殺菌光源１０４を収容し固定するものであり、殺菌光源１０４が発する光線を遮蔽するためのものである。筐体１０２は、選択的に展開状態又は収納状態にあるように折り畳み可能な構造を有する。使用者は筐体１０２の両側面に同時に力を加えて、折り畳み可能な構造を展開し、展開状態を達成することや、筐体１０２の両側面に同時に力を加えて、折り畳み可能な構造を折り畳んで、収納状態を達成することができる。筐体１０２の展開状態で占める体積が収納状態で占める体積よりも大きいものである（例えば、図５に示す状態）ことにより、殺菌装置１００は収納及び携帯しやくなる。筐体１０２の両側面のそれぞれに、使用者が引き紐を掴むとともに力をかけて筐体を収納状態から展開状態に切り替えさせやすくなるための引き紐１１１を１つ設けてもよい。
【００２５】
殺菌光源１０４は、紫外線光源装置又は他の殺菌機能を有する光源装置であってもよい。殺菌光源１０４は、筐体１０２が展開状態で形成した収容空間に固定される。殺菌装置１００を用いる際に、筐体１０２の受縁１０７を接触面又は支持面１２０に、互いに殆ど密着するように接合するで、殺菌光源１０４が発する光線が漏れ周囲の人員を危うくすることを避ける。筐体１０２の展開状態での収容空間は、被殺菌物１５０を収容するためのものであり、殺菌光源１０４が発する光線により、被殺菌物１５０における細菌又はウイルスを殺菌する。
【００２６】
筐体１０２は、レバー１０６を有することで、取り、携帯しやすくなる。殺菌装置１００は、さらに、導電経路１１０により殺菌光源１０４に接続された制御器１０８を含む。いくつかの実施例において、制御器１０８は、殺菌光源１０４のオン、オフをするためのものである。いくつかの実施例において、制御器１０８は、展開状態にある筐体が傾いているか又は転倒しているかを検出するための検出装置である又はそれを含んでもよく、検出装置が振動センサー又は転覆センサーであってもよい。検出装置が展開状態の場合の筐体１０２が傾いていることを検出した場合、殺菌光源１０４がオフされることで、殺菌光源１０４が発する光線が漏れ周囲の人員を危うくすることを避ける。
【００２７】
図３を参照されたい。図３は本発明の第一の実施例にかかる殺菌装置の筐体を示す平面展開図である。筐体１０２が展開された展開平面は、複数のブロック（１０２ａ、１０２ｂ、１０２ｃ、１０２ｄ、１０２ｅ）を含み、中央ブロック１０２ａの四辺が他のブロック（１０２ｂ、１０２ｃ、１０２ｄ、１０２ｅ）に接することにより筐体を形成する。各ブロック（１０２ｂ、１０２ｃ）の両側にはいずれも留め金１０３ａを有し、各ブロック（１０２ｄ、１０２ｅ）の両側にはいずれも切り目１０３ｂを有する。ブロック（１０２ｂ、１０２ｃ、１０２ｄ、１０２ｅ）がブロック１０２ａに折り曲げられた場合、留め金１０３ａが対応する切り目１０３ｂに挿入されることで筐体１０２が組み立てられ、各ブロック（１０２ｂ、１０２ｃ、１０２ｄ、１０２ｅ）の外縁辺（１０７ａ、１０７ｂ、１０７ｃ、１０７ｄ）が組み合わされて受縁１０７となる。
【００２８】
同時に図４、５を参照されたい。図４は本発明の第一の実施例にかかる殺菌装置の折り畳みを示す模式図であり、図５は本発明の第一の実施例にかかる殺菌装置が収納状態にあることを示す立体図である。展開状態にある筐体１０２は、折り畳み可能な構造の複数の折目線１０５により図における矢印の方向に沿って、収納状態に折り畳まれる。本実施例において、複数の折目線１０５の２つは、受縁１０７まで延伸する。いくつかの実施例において、筐体１０２は、複数のマグネットファスナー１０９を含んでもよく、収納状態にある筐体１０２の構造が固定されることで、より携帯及び収納しやすくなる。
【００２９】
図６、７を参照されたい。図６は本発明の第二の実施例にかかる殺菌装置が展開状態にあることを示す立体図であり、図７は本発明の第二の実施例にかかる殺菌装置の使用状態を示す模式図である。殺菌装置２００は、殺菌光源２０４及び筐体２０２を含む。筐体２０２は殺菌光源２０４を収容し固定するものであり、殺菌光源２０４が発する光線を遮蔽するためのものである。筐体２０２は、選択的に展開状態又は収納状態にあるように折り畳み可能な構造を有する。筐体２０２の展開状態で占める体積が収納状態で占める体積よりも大きいものである（例えば、図１０に示す状態）ことにより、殺菌２００は収納及び携帯しやくなる。
【００３０】
殺菌光源２０４は、紫外線光源装置又は他の殺菌機能を有する光源装置であってもよい。殺菌光源２０４は、筐体２０２が展開状態で形成した収容空間に固定される。殺菌装置２００を用いる際に、筐体２０２の受縁２０７を接触面又は支持面１２０に、互いに殆ど密着するように接合することで、殺菌光源２０４が発する光線が漏れ周囲の人員を危うくすることを避ける。筐体２０２の展開状態での収容空間は、被殺菌物１５０を収容するためのものであり、殺菌光源２０４が発する光線により、被殺菌物１５０における細菌又はウイルスを殺菌する。筐体２０２は、展開状態にある筐体２０２の構造を固定するためのファスナー２０９を有する。いくつかの実施例において、ファスナー２０９は、マグネットファスナーであってもよく、展開状態にある筐体２０２の構造を固定するために用いることができる。
【００３１】
筐体２０２は、レバー２０６を有することで、取り、携帯しやすくなる。殺菌装置２００も、前記制御器１０８の設計及び機能に類似する制御器を含む。
【００３２】
図８を参照されたい。図８は本発明の第二の実施例にかかる殺菌装置の筐体を示す平面展開図である。筐体２０２のファスナーが展開された展開平面は、複数のブロック（２０２ａ、２０２ｂ、２０２ｃ）を含み、ブロック（２０２ｂ、２０２ｃ）が中央ブロック２０２ａの両側に接することにより筐体を形成する。各ブロック（２０２ｂ、２０２ｃ）の両側にはいずれもファスナー２０９を有する。ブロック（２０２ｂ、２０２ｃ）がブロック２０２ａに折り曲げられた場合、２つのファスナー２０９の係合により筐体２０２が組み立てられ、各ブロック（２０２ｂ、２０２ｃ）の外縁辺（２０７ａ、２０７ｂ）が組み合わされて受縁２０７となる。
【００３３】
同時に図９、１０を参照されたい。図９は本発明の第二の実施例にかかる殺菌装置の折り畳みを示す模式図であり、図１０は本発明の第二の実施例にかかる殺菌装置が収納状態にあることを示す立体図である。ファスナーが展開された筐体２０２は、折り畳み可能な構造の複数の折目線（２０５ａ、２０５ｂ、２０５ｃ）により、収納状態に折り畳まれる。本実施例において、複数の折目線の４つ（例えば、折目線２０５ｃ）は、受縁２０７まで延伸する。
【００３４】
図１１、１２を参照されたい。図１１は本発明の第三の実施例にかかる殺菌装置が展開状態にあることを示す立体図であり、図１２は本発明の第三の実施例にかかる殺菌装置の使用状態を示す模式図である。殺菌装置３００は、殺菌光源３０４及び筐体３０２を含む。筐体３０２は殺菌光源３０４を収容し固定するものであり、殺菌光源３０４が発する光線を遮蔽するためのものである。筐体３０２は、選択的に展開状態又は収納状態にあるように折り畳み可能な構造（例えば、複数の折目線３０５）を有する。筐体３０２の展開状態で占める体積が収納状態で占める体積よりも大きいものである（例えば、図１５に示す状態）ことにより、殺菌３００は収納及び携帯しやくなる。
【００３５】
殺菌光源３０４は、紫外線光源装置又は他の殺菌機能を有する光源装置であってもよい。殺菌光源３０４は、筐体３０２が展開状態で形成した収容空間に固定される。殺菌装置３００を用いる際に、筐体３０２の受縁３０７を接触面又は支持面１２０に、互いに殆ど密着するように接合することで、殺菌光源３０４が発する光線が漏れ周囲の人員を危うくすることを避ける。筐体３０２の展開状態での収容空間は、被殺菌物１５０を収容するためのものであり、殺菌光源３０４が発する光線により、被殺菌物１５０における細菌又はウイルスを殺菌する。
【００３６】
筐体３０２は、レバー３０６を有することで、取り、携帯しやすくなる。殺菌装置３００も、前記制御器１０８の設計及び機能に類似する制御器を含む。
【００３７】
図１３を参照されたい。図１３は本発明の第三の実施例にかかる殺菌装置の筐体を示す平面展開図である。筐体３０２のファスナーが展開された展開平面は、複数のブロック（３０２ａ、３０２ｂ、３０２ｃ、３０２ｄ、３０２ｅ）を含み、中央ブロック３０２ａの四辺が他のブロック（３０２ｂ、３０２ｃ、３０２ｄ、３０２ｅ）に接することにより筐体を形成する。各ブロック（３０２ｂ、３０２ｃ）の外側辺はいずれも留め金３１１を有する。中央ブロック３０２ａが中央の折目線で折り曲げられた場合、２つの留め金３１１が互いに係合することにより筐体３０２が組み立てられ、ブロック（３０２ｄ、３０２ｅ）の外縁辺３０７ａとブロック（３０２ｂ、３０２ｃ）の内縁辺３０７ｂが組み合わされて受縁３０７となる。
【００３８】
同時に図１４、１５を参照されたい。図１４は本発明の第三の実施例にかかる殺菌装置の折り畳みを示す模式図であり、図５は本発明の第三の実施例にかかる殺菌装置が収納状態にあることを示す立体図である。筐体３０２の折り畳み可能な構造は、レバー３０６を基準点として対称する２つの対称的な扇形の折り畳み副構造を含む。展開状態にある筐体３０２は、２つの対称的な折り畳み副構造の複数の折目線３０５により図における矢印の方向に沿って、収納状態に折り畳まれる。本実施例において、複数の折目線３０５は、いずれも受縁３０７まで延伸する。いくつかの実施例において、筐体３０２は、複数のマグネットファスナー３０９を含んでもよく、これにより、収納状態にある筐体３０２の構造が固定されることで、より携帯及び収納しやすくなる。
【００３９】
図１６を参照されたい。図１６は本発明の第四の実施例にかかる殺菌装置が展開状態で使用されることを示す模式図である。殺菌装置４００は、殺菌光源４０４及び筐体４０２を含む。筐体４０２は殺菌光源４０４を収容し固定するものであり、殺菌光源４０４が発する光線を遮蔽するためのものである。筐体４０２は、選択的に展開状態又は収納状態にあるように折り畳み可能な構造（例えば、複数の折目線４０５）を有する。筐体４０２の展開状態で占める体積が収納状態で占める体積よりも大きいものである（例えば、図２０に示す状態）ことにより、殺菌４００は収納及び携帯しやくなる。
【００４０】
殺菌光源４０４は、紫外線光源装置又は他の殺菌機能を有する光源装置であってもよい。殺菌光源４０４は、筐体４０２が展開状態で形成した収容空間に固定される。殺菌装置４００を用いる際に、筐体４０２を接触面又は支持面に置く。筐体４０２の展開状態での収容空間は、被殺菌物１５０を収容するためのものであり、殺菌光源４０４が発する光線により、被殺菌物１５０における細菌又はウイルスを殺菌する。
【００４１】
筐体４０２は、レバー４０６を有することで、取り、携帯しやすくなる。殺菌装置４００も、前記制御器１０８の設計及び機能に類似する制御器を含む。
【００４２】
同時に図１７、１８を参照されたい。図１７は本発明の第四の実施例にかかる殺菌装置の筐体を示す平面展開図であり、図１８は本発明の第四の実施例にかかる殺菌装置の組立を示す模式図である。本実施例の前記実施例との相違点は、主に、筐体４０２の各ブロック（４０２ａ、４０２ｂ）が一体的に成形されたものではなく、別々に製造され、連結部材４１１により互いに接合又は係合され、図１８に示す状態のように組み立てられる。筐体４０２の各ブロック４０２ｂの外側辺はいずれもマグネットファスナー４０９を有する。筐体４０２が図１６のような展開状態のように折り曲げられた場合、マグネットファスナー４０９が互いに係合することにより展開状態にある筐体の構造が固定される。
【００４３】
同時に図１９、２０を参照されたい。図１９は本発明の第四の実施例にかかる殺菌装置の折り畳みを示す模式図であり、図２０は本発明の第四の実施例にかかる殺菌装置が収納状態にあることを示す立体図である。殺菌装置４００を収納又は携帯したい場合、携帯及び収納を容易にするために、筐体４０２を、その折目線４０５に沿って図２０に示す収納状態のように折り曲げることができる。筐体４０２が収納状態の場合も、マグネットファスナー４０９を互いに係合することで収納状態にある筐体の構造を固定することができる。
【００４４】
以上のように、本発明の殺菌装置は、殺菌光源と折り畳み可能な筐体とを有する。筐体は、選択的に展開状態又は収納状態にあることができ、収納状態の殺菌装置が携帯及び収納しやくなる。光を透過させない筐体は、殺菌光源が発する光線を遮蔽することで、光線が漏れ周囲の人員を危うくすることを避けるために用いられる。
【００４５】
本発明は上記のように実施形態により開示されたが、それらは本発明を限定するためのものではなく、当業者は、本発明の要旨及び範囲を逸脱しない限り、各種の変更及び修飾を行うことができるため、本発明の保護範囲は添付の特許請求の範囲によって定められたものを基準とする。
下記添付の符号の説明は、以下のように、本発明の上記又は他の目的、特徴、メリット、及び実施例をより分かりやすくするためのものである。
【符号の説明】
【００４６】
１００、２００、３００、４００：殺菌装置
１０２、２０２、３０２、４０２：筐体
１０２ａ、１０２ｂ、１０２ｃ、１０２ｄ、１０２ｅ：ブロック
２０２ａ、２０２ｂ、２０２ｃ：ブロック
３０２ａ、３０２ｂ、３０２ｃ、３０２ｄ、３０２ｅ：ブロック
４０２ａ、４０２ｂ：ブロック
４１１：連結部材
１０３ａ、３１１：留め金
１０３ｂ：切り目
１０４、２０４、３０４、４０４：殺菌光源
１０５、２０５、２０５ａ、２０５ｂ、２０５ｃ、３０５、３０６、４０５：折目線
１０６、２０６、３０６、４０６：レバー
１０７、２０７、３０７：受縁
１０７ａ、１０７ｂ、１０７ｃ、１０７ｄ：外縁辺
１０９、３０９、４０９：マグネットファスナー
１１１：引き紐
２０７ａ、２０７ｂ：外縁辺
２０９：ファスナー
３０７ａ：外縁辺
３０７ｂ：内外縁辺
１０８：制御器
１１０：導電経路
１２０：接触面
１５０：被殺菌物
【図１】
2020116363.tif 000003
【図２】
2020116363.tif 000004
【図３】
2020116363.tif 000005
【図４】
2020116363.tif 000006
【図５】
2020116363.tif 000007
【図６】
2020116363.tif 000008
【図７】
2020116363.tif 000009
【図８】
2020116363.tif 000010
【図９】
2020116363.tif 000011
【図１０】
2020116363.tif 000012
【図１１】
2020116363.tif 000013
【図１２】
2020116363.tif 000014
【図１３】
2020116363.tif 000015
【図１４】
2020116363.tif 000016
【図１５】
2020116363.tif 000017
【図１６】
2020116363.tif 000018
【図１７】
2020116363.tif 000019
【図１８】
2020116363.tif 000020
【図１９】
2020116363.tif 000021
【図２０】
2020116363.tif 000022